(57)【要約】【課題】外装材を容易に脱着可能なカーテンウォールユニットを得る。【解決手段】カーテンウォールユニット１００は、上枠１１０と、下枠１２０と、右縦枠１３０と、左縦枠１５０と、第１から第４の中間枠１７０ａ−ｄと、第１から第４の複層ガラス１９０ａ―ｄと、右縦枠カバー２００と、左縦枠カバー２２０と、ルーバー３００とを主に備える。カーテンウォールユニット１００から第１の複層ガラス１９０ａを取り外す手法について説明する。始めに、右縦枠１３０及び左縦枠１５０に取り付けられた４本のボルト３６７が工具を用いて外される。そして、ルーバー３００ａが右縦枠１３０及び左縦枠１５０から取り外される。次に、第１の中間枠１７０ａから、横押縁１７１ａが取り外され、右縦枠１３０及び左手枠１５０から縦押縁が取り外される。次に、第１の複層ガラス１９０ａをカーテンウォールユニット１００から取り外す。【選択図】図１
2018204175.tif 000002
【特許請求の範囲】
【請求項１】
面材を支持する縦枠と、
外装材を支持するブラケットとを備え、
前記縦枠は、前記面材より室外方向に突出する外装材取付部を有し、
前記ブラケットは、前記外装材取付部に取り付けられるカーテンウォールユニット。
【請求項２】
前記取付部を覆うカバーを備える請求項１に記載のカーテンウォールユニット。
【請求項３】
前記面材を前記縦枠に固定する押縁をさらに備え、前記カバーは前記押縁と前記取付部との間に挟まれて固定される請求項２に記載のカーテンウォールユニット。
【請求項４】
前記カバーは前記ブラケットと前記外装材取付部との間に挟まれて固定される請求項２又は３に記載のカーテンウォールユニット。
【請求項５】
前記外装材取付部は凹部を有し、前記カバーは前記凹部を覆うように設けられ、前記カーテンウォールユニットは前記凹部に格納される裏板を備え、前記裏板は前記凹部内に当該裏板の厚さ方向に平行移動可能な可動空間を残して固着具で固定され、前記固着具の前記凹部内での長さが、前記可動空間の距離よりも長い請求項２から４のいずれかに記載のカーテンウォールユニット。
【請求項６】
前記カバーは、前記縦枠の全長に渡って延びる請求項２から５のいずれかに記載のカーテンウォールユニット。
【請求項７】
前記カバーを塗装する塗料は、前記縦枠を塗装する塗料と異なる請求項２から６のいずれかに記載のカーテンウォールユニット。
【請求項８】
前記縦枠の高さ方向端部に取り付けられる蓋を備える請求項１から７のいずれかに記載のカーテンウォールユニット。
【発明の詳細な説明】
【技術分野】
【０００１】
本発明は、建築物の外壁に用いられるカーテンウォールユニットに関する。
【背景技術】
【０００２】
従来、庇などの外装材を２本のブラケット及び固定具を介して取り付け可能なカーテンウォールユニットが知られている。２本のブラケットは、各々の一端で庇の両端を支持し、他端に設けられた貫通孔を通る固定具を用いて、カーテンウォールユニットの縦枠に設けられた係合溝に固定される。カーテンウォールユニットを建築物の躯体に取り付けたとき、係合溝は外壁材としてのガラスパネルよりも躯体側に形成されている。また、隣接するカーテンウォールユニットどうしの間隔、つまり縦枠どうしの間隔は美感向上等の目的から非常に狭くなっている（特許文献１参照）。
【先行技術文献】
【特許文献】
【０００３】
【特許文献１】特開２０１４−１１８６８０号公報
【発明の概要】
【発明が解決しようとする課題】
【０００４】
係合溝が外壁材よりも躯体側に形成され、かつ隣接する縦枠どうしの間隔が非常に狭いため、隣接する縦枠どうしの間に工具を挿入することは困難である。また、工具を挿入できたとしても、挿入した工具を用いて固定具を操作してブラケットを係合溝から脱着することは非常に困難である。つまり、外装材を縦枠から取り外すことは非常に困難である。他方、外装材を外さずに外壁材を脱着することを検討しても、脱着作業時に外壁材を外装材に当てずに脱着することは繊細な作業が要求され、外壁材の重量に鑑みても困難な作業となる。また、脱着作業時に外壁材が外装材に当たって、外装材を脱着できない、または外装材及び外壁材に傷が付くおそれもある。
【０００５】
本発明はこれらの課題に鑑みてなされたものであり、外装材を容易に脱着可能なカーテンウォールユニットを得ることを目的とする。
【課題を解決するための手段】
【０００６】
本願発明によるカーテンウォールユニットは、高さ方向に延び、かつ外壁材を支持する枠と、外装材を支持するブラケットとを備え、枠は、枠から突出する取付部を備え、取付部は、外壁材を超えて突出する取付端部を有し、ブラケットは取付端部に取り付けられることを特徴とする。
【０００７】
高さ方向と直交する面内において取付部の周囲を覆うカバーを備えることが好ましい。
【０００８】
外壁材を枠に固定する押縁をさらに備え、カバーは押縁と取付部との間に挟まれて固定されることが好ましく、カバーはブラケットと取付端部との間に挟まれて固定されることが好ましい。これにより、カバーを確実かつ簡便に固定できる。
【０００９】
取付端部は凹部を有し、カバーは凹部を覆うように設けられ、カーテンウォールユニットは凹部に格納される裏板を備え、凹部内における裏板とカバーとの距離は裏板の厚さよりも短いことが好ましい。これにより、裏板が容易に脱落しない。
【００１０】
カバーは、枠の全長に渡って延びることが好ましい。これにより、カーテンウォールユニットの意匠性を高めることができる。
【００１１】
カバーを塗装する塗料は、枠を塗装する塗料と異なることが好ましい。これにより、容易に塗装が可能となると共に、高価な塗料にて塗装する部位と、粉体塗装を用いて塗装する部位とを分けて塗り分けが可能となり、高価な塗料の使用量が抑えられ塗装コストを低減できる。
【００１２】
枠の高さ方向端部に取り付けられる蓋を備えることが好ましい。これにより、枠の端部における音鳴りを防止し、かる枠の内部に設けられる部材が外部に脱落してしまうことを防止できる。
【発明の効果】
【００１３】
本発明によれば、外装材を容易に脱着可能なカーテンウォールユニットが提供される。
【図面の簡単な説明】
【００１４】
【図１】建築物に取り付けられたカーテンウォールユニットを外部から見た正面図である。
【図２】図１のＩＩ−ＩＩ線における一部断面図である。
【図３】図１のＩＩＩ−ＩＩＩ線における断面図である。
【図４】ブラケットの取付部分の見上げ斜視図である。
【図５】縦枠の重力方向下端の見上げ一部斜視図である。
【図６】カーテンウォールユニットの一部断面図である。
【図７】カーテンウォールユニットの一部断面図である。
【図８】カーテンウォールユニットの一部断面図である。
【符号の説明】
【００１５】
１００  カーテンウォールユニット
１１０  上枠
１２０  下枠
１３０  右縦枠
１５０  左縦枠
１７０ａ  第１の中間枠
１７０ｂ  第２の中間枠
１７０ｃ  第３の中間枠
１７０ｄ  第４の中間枠
１８０  スパンドレル
１９０ａ  第１の複層ガラス
１９０ｂ  第２の複層ガラス
１９０ｃ  第３の複層ガラス
１９０ｄ  第４の複層ガラス
２００  右縦枠カバー
２２０  左縦枠カバー
３００  ルーバー
３５０  ブラケット
４１０  右縦押縁
４３０  左縦押縁
【発明を実施するための形態】
【００１６】
本発明の一実施形態によるカーテンウォールユニット１００について図１から図６を用いて説明する。図１を参照すると、カーテンウォールユニット１００は建築物に取り付けられている。以下、建築物に取り付けられている状態において鉛直方向に沿う長さを高さ、建築物の外壁面と平行かつ水平方向に沿う長さを幅、建築物の外壁面と直角かつ水平方向に沿う長さを厚さという。
【００１７】
カーテンウォールユニット１００は、上枠１１０と、下枠１２０と、右縦枠１３０と、左縦枠１５０と、第１から第４の中間枠１７０ａ〜ｄと、スパンドレル１８０と、第１から第４の複層ガラス１９０ａ〜ｄと、右縦枠カバー２００と、左縦枠カバー２２０と、外装材であるルーバー３００（図２から４参照）とを主に備える。上枠１１０、下枠１２０、右縦枠１３０、左縦枠１５０、第１から第４の中間枠１７０ａ〜ｄ、スパンドレル１８０、右縦枠カバー２００、及び左縦枠カバー２２０は、各々アルミ押出材から成る。上枠１１０、下枠１２０、第１から第４の中間枠１７０ａ〜ｄ、及びスパンドレル１８０は、カーテンウォールユニット１００の幅方向全長に渡って延び、右縦枠１３０、左縦枠１５０、右縦枠カバー２００、及び左縦枠カバー２２０は、カーテンウォールユニット１００の高さ方向全長に渡って延びる。上枠１１０の両端は、右縦枠１３０及び左縦枠１５０の鉛直方向上方の端部に接続され、下枠１２０の両端は、右縦枠１３０及び左縦枠１５０の鉛直方向下方の端部に接続される。また、第１から第４の中間枠１７０ａ〜ｄは、鉛直方向に対して所定の間隔を空けて右縦枠１３０及び左縦枠１５０に接続され、スパンドレル１８０は、鉛直方向に対して第１の中間枠１７０ａと第２の中間枠１７０ｂとの間に挟まれるように、右縦枠１３０及び左縦枠１５０に接続される。
【００１８】
上枠１１０と第１の中間枠１７０ａとの間、かつ右縦枠１３０と左縦枠１５０との間に、第１の複層ガラス１９０ａが取り付けられる。同様にして、第２の中間枠１７０ｂと第３の中間枠１７０ｃの間、かつ右縦枠１３０と左縦枠１５０との間に、第２の複層ガラス１９０ｂが取り付けられ、第３の中間枠１７０ｃと第４の中間枠１７０ｄの間、かつ右縦枠１３０と左縦枠１５０との間に、第３の複層ガラス１９０ｃが取り付けられ、第４の中間枠１７０ｄと下枠１２０の間、かつ右縦枠１３０と左縦枠１５０との間に、第４の複層ガラス１９０ｄが取り付けられる。
【００１９】
右縦枠１３０と左縦枠１５０において、上枠１１０、第２の中間枠１７０ｂ、第３の中間枠１７０ｃ、及び第４の中間枠１７０ｄと接続される位置に、ルーバー３００が取り付けられる（図２−４及び６−９参照）。なお、説明のため、図１ではルーバー３００は省略される。
【００２０】
次に、図２及び３を用いて右縦枠１３０及び右縦枠カバー２００について説明する。右縦枠１３０は、その全長に渡って延びる右縦枠本体１３１及び右取付部１３２を主に備え、その表面全体が粉体塗装される。右縦枠本体１３１は、右フランジ１３３、１３４、右ウインドバリア１４１、右レインバリア１４２、及び右ツメ１３５を備え、水平断面において１本の長辺と２本の短辺とから成るコの字型断面を高さ方向全長に渡って有する。２本の短辺は１本の長辺の両端に直角に接続される。右フランジ１３３、１３４は、１本の長辺の長手方向長さを略三等分する位置から短辺と平行に延びる。右ウインドバリア１４１と右レインバリア１４２は、ＥＰＤＭ−Ｓから成り、右フランジ１３３、１３４の先端に互いに対向するように各々取り付けられる。右ツメ１３５は、１本の短辺の先端からコの字型の外側に向けて延びる。
【００２１】
右取付部１３２は、右取付部本体１３６、取付端部を成す右凹部１３７、第１の右押縁係合部１３８、及び第２の右押縁係合部１３９を主に備える。右取付部本体１３６は、右縦枠本体１３１における１本の短辺から直角に、つまり右縦枠本体１３１の長辺と平行に突出する。右凹部１３７は、右取付部本体１３６のうち第２の複層ガラス１９０ｂの正面を超えて突出する端部付近に設けられ、後述する裏板１４３を収納可能な幅、及び裏板１４３の厚さの２倍未満の深さを有する。第１の右押縁係合部１３８は、水平断面においてＬ字型の断面を有し、右取付部本体１３６において右収納部１３６の裏側から第２の複層ガラス１９０ｂに向けて突出する。第２の右押縁係合部１３９は、水平断面においてＬ字型の断面を有し、右取付部本体１３６の長手方向略中央から第２の複層ガラス１９０ｂに向けて突出する。
【００２２】
右縦枠カバー２００は、水平断面においてＪ字型を呈し、カーテンウォールユニット１００の高さと略同じ長手方向長さを有する。Ｊ字型の断面は、右縦枠カバー２００の長手方向全長に渡って同じである。Ｌ字型の右カバー凹部２０１が、Ｊ字型の一端に設けられる。右縦枠カバー２００の表面全体がフッ素樹脂塗料によって塗装される。
【００２３】
右縦押縁４１０は、略Ｌ字型の断面を有するアルミ押出材であって、略Ｌ字型の先端及び屈曲部分の外角側に各々凹部を備える。
【００２４】
裏板１４３は、厚さを有する長方形の板であって、長手方向中央に小径の雌ねじ穴が設けられ、小径の孔の両側に、より直径の大きい２つの雌ねじ穴が設けられる（図３参照）。
【００２５】
右縦枠カバー２００及び右取付部本体１３６において、後述するルーバー３００が取り付けられる位置に各々２つの孔２０２、１４０が空けられる。
【００２６】
図４及び５を参照すると、右取付部１３２の底面にねじ３６１を介して蓋３６０が取り付けられる。蓋３６０は、Ｃ字型断面を有し、鉛直方向から見たとき、右凹部１３７全体を覆う程度の大きさを有する。厚さ方向に貫通する穴３６２が蓋３６０に設けられる。蓋３６０は、右取付部１３２の頂面にも取り付けられる。
【００２７】
次に、図２から４を用いてルーバー３００について説明する。ルーバー３００は、アルミニウム合金から成るルーバー羽根３１０と、同じくアルミニウム合金から成るブラケット３５０とを備える。ルーバー羽根３１０は、両端に３つのねじ穴３１５を備える中空筒状の棒形状を有する。ブラケット３５０は、平板状であって、その後端３５４は矩形板状の固定部３６１と係合部３６４とを備える。固定部３６１は、厚み方向に開口する２つの孔３６２を有し、後端３５４と平行に、かつ後端３５４の厚みだけオフセットされて後端３５４から突出する。係合部３６４は、後端３５４と直角を成すように、右縦枠カバー２００の幅と同じ長さだけ後端３５４から突出する。ブラケット３５０の側面３５６から側面３５５まで貫通する孔３６５が空けられる。ルーバー羽根３１０とブラケット３５０とが接合された状態について説明する。ルーバー羽根３１０の両端に、ＥＰＤＭ複層シーラーを挟みながらブラケット３５０の側面３５５が密着する。そして、ブラケット３５０に空けられた孔３６５に、ブラケット３５０の他方の側面３５６からビス３６６が挿入されて、ねじ穴３１５と螺合する。このようにして、ルーバー羽根３１０の端部がブラケット３５０により支持されて、ルーバー羽根３１０とブラケット３５０とが接合される。
【００２８】
図２から４を参照して、右縦枠１３０に、右縦枠カバー２００、右縦押縁４１０、第２の複層ガラス１９０ｂ、及びルーバー３００を取り付ける工程について説明する。
【００２９】
まず、裏板１４３が右凹部１３７内に収納され、ネジを用いて右取付部１３２に固定される。次に、右縦枠カバー２００が右取付部１３２に取り付けられる。より詳細に説明すると、右縦枠カバー２００は、右取付部本体１３６と右縦枠本体１３１との接続部から第１の右押縁係合部１３８まで、右取付部本体１３６の片側側面の全体、正面、及び他方の側面の約１／３を覆うように右縦枠１３０に取り付けられる。このとき、右カバー凹部２０１は右ツメ１３５と係合する。これにより、右縦枠カバー２００の一端部は、右縦枠１３０に取り付けられ、水平方向にずれない。さらに、右縦枠カバー２００は、長手方向上端付近、中央、及び下端付近の３箇所で、皿ビス１４４を用いて右取付部本体１３６に固定される。
【００３０】
次に、右縦押縁４１０が右取付部１３２に取り付けられる。より詳細に説明すると、右縦押縁４１０の略Ｌ字型の先端に設けられた凹部が第２の右押縁係合部１３９と係合し、右縦押縁４１０の屈曲部分に設けられた凹部が第１の右押縁係合部１３８と係合する。このとき、右縦押縁４１０の屈曲部分と右縦枠カバー２００の端部が係合して、右縦枠カバー２００の端部が右取付部本体１３６に押しつけられて固定される。これにより、右縦枠カバー２００の端部が、右縦枠１３０に対して水平方向にずれない。右縦押縁４１０の他方の先端に設けられた凹部には、ＥＰＤＭ−Ｓから成るグレイジングガスケット４２１が取り付けられ、右縦枠本体１３１に取り付けられた内部スペーサ及びシーリング材４２２との間に第２の複層ガラス１９０ｂを保持する。
【００３１】
次に、ルーバー３００が右縦枠１３０に固定される。より詳細に説明すると、固定部３６１が、右縦枠カバー２００において、カーテンウォールユニット１００内周側の側面に密着し、係合部３６４は、右縦枠カバー２００において、カーテンウォールユニット１００の正面に密着する。前述のように、右縦枠カバー２００及び右取付部本体１３６において、ルーバー３００が取り付けられる位置に各々２つの孔２０２、１４０が空けられている。固定部３６１の２つの孔３６２に、カーテンウォールユニット１００内周側からボルト３６７が差し込まれ、孔２０２、１４０を貫通する。そして、カーテンウォールユニット１００外周側で、裏板１８２に設けられた２つの雌ねじ穴とボルト３６７が螺合する。これにより、右取付部本体１３６、右縦枠カバー２００、及び固定部３６１が締結される。すなわち、ルーバー３００が、右縦枠カバー２００及び右縦枠１３０と固定される。そして、係合部３６４は、右縦枠カバー２００の正面と接触係合する。これにより、ルーバー３００がボルト３６７周りに回転せず、ルーバー３００を右縦枠カバー２００に安定的に固定することができる。
【００３２】
裏板１４３が右縦枠カバー２００により完全に覆われるため、雨水に直接触れる頻度が少なくなる。従来、雨水に触れる頻度が高い部材に関しては、錆による劣化防止のため、ステンレス製とする必要があったが、本実施形態によれば、裏板１４３を鉄製とすることができる。これにより、カーテンウォールユニット１００のコストを抑えることができる。
【００３３】
また、前述のように、右凹部１３７の深さは、裏板１４３の厚さの２倍未満である。そのため、裏板１４３を右凹部１３７内に収納して右縦枠カバー２００で覆っておけば、裏板１４３を右取付部１３２に固定するネジが緩んでも、ネジが裏板１４３から完全に抜けず、裏板１４３が右凹部１３７内を落下しない。
【００３４】
また、従来の縦枠カバーを備えないカーテンウォールユニットでは、外部に露出して紫外線に当たる部材を比較的高価なフッ素樹脂塗料で塗装して耐候性を確保し、外部に露出しない部材を比較的安価な粉体塗料で塗装している。つまり、紫外線に当たる縦枠では、フッ素樹脂塗料を用いて縦枠全体を塗装している。ここで、縦枠はカーテンウォールユニットにおいて最も塗装面積が広い部材である一方で、紫外線に当たらない部位をも有する部材である。このように、最も塗装面積が広い部材の全体をフッ素樹脂塗料で塗装し、紫外線に当たらない部位をも粉体塗装で塗装せずにフッ素樹脂塗料で塗装すると、塗装コストの上昇に繋がる。しかしながら、本実施形態によれば、外部に露出する部位は右縦枠カバー２００、外部に露出しない部位は右縦枠１３０と分かれているため、右縦枠１３０を粉体塗料で、右縦枠カバー２００をフッ素樹脂塗料でそれぞれ別々の工程で塗装できる。これにより、塗装工程を簡略化し、カーテンウォールユニット１００のコストを抑えることができる。
【００３５】
図５及び６を参照すると、右縦枠カバー２００の内側かつ右取付部１３２の底面にねじ３６１を介して蓋３６０が取り付けられる。これにより、裏板１４３が何らかの理由により落下することがあっても、蓋３６０によって受け止められ、カーテンウォールユニット１００の外部に落下しない。また、穴３６２が空けられているため、右縦枠カバー２００と右縦枠１３０との間に浸入した雨水が内部に溜まることなく、穴３６２を介して外部に排出される。また、右取付部１３２の頂面及び底面に蓋３６０を取り付けることにより、右縦枠カバー２００の開口で生じる音鳴りを低減できる。
【００３６】
前述のように、右縦枠カバー２００は、カーテンウォールユニット１００の高さと略同じ長手方向長さを有する。そのため、カーテンウォールユニット１００の高さ方向全長に渡って１本の右縦枠カバー２００が取り付けられる。これにより、カーテンウォールユニット１００の高さ方向全長に渡って縦に１本のラインが通り、すっきりとした意匠が構成される。
【００３７】
次に、図２を用いて、左縦枠１５０及び左縦枠カバー２２０について説明する。右縦枠１３０及び右縦枠カバー２００と同様の構成については、同じ符号を付して説明を省略する。左縦枠１５０は、その全長に渡って延びる左縦枠本体１５１及び左取付部１５２を主に備える。
【００３８】
左縦枠本体１５１は、左フランジ１５３及び１５４並びに左ツメ１５５を備え、水平断面において１本の長辺と２本の短辺とから成るコの字型断面を全長に渡って有する。２本の短辺は１本の長辺の両端に直角に接続される。長辺の長手方向長さを略三等分する位置から、短辺と平行に左フランジ１５３、１５４が延びる。左フランジ１５３、１５４はクランク状断面を有する。左ツメ１５５が、短辺の先端からコの字型の外側に向けて延びる。隣り合うカーテンウォールユニット１００どうしを接続するとき、左フランジ１５３及び１５４が右フランジ１３３及び１３４の間に挿入されて、右ウインドバリア１４１、右レインバリア１４２と各々密着する。これにより、隣り合うカーテンウォールユニット１００どうしがカーテンウォールユニット１０の厚さ方向に固定されるとともに、右ウインドバリア１４１、右レインバリア１４２によって風雨が躯体側に浸入しない。
【００３９】
左取付部１５２は、左取付部本体１５６、左凹部１５７、第１の左押縁係合部１５８、及び第２の左押縁係合部１５９を主に備える。左取付部１５２は右取付部１３２と対称面Ｓに対して面対称な形状を有する。左取付部１５２が備える各部材は、右取付部１３２が備える各部材と面対称な同様の形状であるため、説明を省略する。また、左縦枠カバー２２０は右縦枠カバー２００と、左縦押縁４３０は右縦押縁４１０と、各々対称面Ｓに対して面対称な形状を有する。よって、詳細な説明を省略する。左縦枠１５０に、左縦枠カバー２２０、左縦押縁４３０、第２の複層ガラス１９０ｂ、及びルーバー３００を取り付ける工程についても右縦枠１３０と同様であるため、説明を説明する。左縦枠１５０及び左縦枠カバー２２０もまた、右縦枠１３０及び右縦枠カバー２００と同様の効果を備える。
【００４０】
次に、図２及び６を用いて、カーテンウォールユニット１００から第１の複層ガラス１９０ａを着脱する手法について説明する。
【００４１】
まず、カーテンウォールユニット１００から第１の複層ガラス１９０ａを取り外す手法について説明する。始めに、右縦枠１３０及び左縦枠１５０からルーバー３００ａが取り外される。詳細に説明すると、右縦枠１３０及び左縦枠１５０に取り付けられた４本のボルト３６７が工具を用いて緩められ、裏板１４３、右縦枠１３０、右縦枠カバー２００、左縦枠１５０、左縦枠カバー２２０、及びルーバー３００ａから各々外される。そして、ルーバー３００ａが右縦枠１３０及び左縦枠１５０から取り外される。ボルト３６７の頭はカーテンウォールユニット１００の外部に露出しているため、作業者は容易に工具をボルト３６７にアクセスさせて取り外すことができる。
【００４２】
次に、第１の中間枠１７０ａから、横押縁１７１ａが取り外される。横押縁１７１ａは第１の中間枠１７０ａから突出するＬ字形状のフック等に係合して取り付けられており、作業者の手で容易に取り外しできる。次に、右縦枠１３０及び左手枠１５０から図示されない縦押縁が取り外される。右縦枠１３０及び左手枠１５０と縦押縁との接合手段は、第１の中間枠１７０ａと横押縁１７１ａと同様であり、取り外す手段についても同様である。
【００４３】
次に、第１の複層ガラス１９０ａをカーテンウォールユニット１００から取り外す。詳細に説明すると、第１の複層ガラス１９０ａを作業者が把持して、鉛直上端線を軸にして第１の複層ガラス１９０ａを所定の角度まで旋回させる。このとき、ルーバー３００ａが既に取り外されているため、第１の複層ガラス１９０ａはルーバー３００ａに衝突せずに、取り外しが容易となる大きな角度まで旋回できる。そして、第１の複層ガラス１９０ａを下方に引いて、上枠１１０から外す。これにより、カーテンウォールユニット１００から第１の複層ガラス１９０ａが取り外される。
【００４４】
次に、カーテンウォールユニット１００に第１の複層ガラス１９０ａを取り着ける手法について説明する。始めに、第１の複層ガラス１９０ａを作業者が把持して、第１の複層ガラス１９０ａを下方から上枠１１０に差し込む。このとき、ルーバー３００ａが取り外されているため、第１の複層ガラス１９０ａをルーバー３００ａに衝突させてしまうことを考慮せずに、容易に上枠１１０に差し込むことができる。次に、鉛直上端線を軸にして第１の複層ガラス１９０ａの下端が第１の中間枠１７０ａに納められるまで旋回させる。そして、横押縁１７１ａを第１の複層ガラス１９０ａの外側から第１の中間枠１７０ａに取り付け、縦押縁を右縦枠１３０及び左縦枠１５０に取り付ける。次に、ルーバー３００ａを右縦枠１３０及び左縦枠１５０に沿わせて、ボルト３６７を裏板１４３の雌穴と螺合させ、ルーバー３００ａを右縦枠１３０及び左縦枠１５０に取り着ける。これにより、カーテンウォールユニット１００に第１の複層ガラス１９０ａが取り着けられる。
【００４５】
次に、図２及び７を用いて、カーテンウォールユニット１００から第２の複層ガラス１９０ｂを着脱する手法について説明する。
【００４６】
まず、カーテンウォールユニット１００から第２の複層ガラス１９０ｂを取り外す手法について説明する。始めに、第１の複層ガラス１９０ａを着脱する手法と同様にして、右縦枠１３０及び左縦枠１５０からルーバー３００ｃが取り外される。次に、第１の複層ガラス１９０ａを着脱する手法と同様にして、第３の中間枠１７０ｃから横押縁１７１ｃを取り外し、右縦枠１３０及び左縦枠１５０から図示されない縦押縁を取り外す。そして、第２の複層ガラス１９０ｂを作業者が把持して、鉛直上端線を軸にして第２の複層ガラス１９０ｂを所定の角度まで旋回させる。そして、第２の複層ガラス１９０ｂを下方に引いて、第２の中間枠１７０ｂから外す。これにより、カーテンウォールユニット１００から第２の複層ガラス１９０ｂが取り外される。
【００４７】
次に、カーテンウォールユニット１００に第２の複層ガラス１９０ｂを取り着ける手法について説明する。始めに、第１の複層ガラス１９０ａを着脱する手法と同様にして、第２の複層ガラス１９０ｂを下方から第２の中間枠１７０ｂに差し込む。次に、鉛直上端線を軸にして第２の複層ガラス１９０ｂの下端が第３の中間枠１７０ｃに納められるまで旋回させる。そして、横押縁１７１ａを第２の複層ガラス１９０ｂの外側から第３の中間枠１７０ｃに取り付け、縦押縁を右縦枠１３０及び左縦枠１５０に取り付ける。次に、第１の複層ガラス１９０ａを着脱する手法と同様にして、ルーバー３００ａを右縦枠１３０及び左縦枠１５０に取り着ける。これにより、カーテンウォールユニット１００に第２の複層ガラス１９０ｂが取り着けられる。
【００４８】
次に、図２及び８を用いて、カーテンウォールユニット１００から第３の複層ガラス１９０ｃを着脱する手法について説明する。
【００４９】
まず、カーテンウォールユニット１００から第３の複層ガラス１９０ｃを取り外す手法について説明する。始めに、第１の複層ガラス１９０ａを着脱する手法と同様にして、右縦枠１３０及び左縦枠１５０からルーバー３００ｃが取り外される。次に、第１の複層ガラス１９０ａを着脱する手法と同様にして、第３の中間枠１７０ｃから横押縁１７１ｃを取り外し、右縦枠１３０及び左縦枠１５０から図示されない縦押縁を取り外す。そして、鉛直下端線を軸にして第３の複層ガラス１９０ｃを所定の角度まで旋回させる。このとき、ルーバー３００ｃが既に取り外されているため、第３の複層ガラス１９０ｃはルーバー３００ｃに衝突せずに、取り外しが容易となる大きな角度まで旋回できる。そして、第３の複層ガラス１９０ｃを上方に引いて、第４の中間枠１７０ｄから外す。これにより、カーテンウォールユニット１００から第３の複層ガラス１９０ｃが取り外される。
【００５０】
次に、カーテンウォールユニット１００に第３の複層ガラス１９０ｃを取り着ける手法について説明する。始めに、第３の複層ガラス１９０ｃを作業者が把持して、上方から第４の中間枠１７０ｄに差し込む。このとき、ルーバー３００ｃが取り外されているため、第３の複層ガラス１９０ｃをルーバー３００ｃに衝突させてしまうことを考慮せずに、容易に第４の中間枠１７０ｄに差し込むことができる。次に、鉛直下端線を軸にして第３の複層ガラス１９０ｃの上端が第４の中間枠１７０ｄに納められるまで旋回させる。そして、横押縁１７１ｃを第３の複層ガラス１９０ｃの外側から第３の中間枠１７０ｃに取り付け、縦押縁を右縦枠１３０及び左縦枠１５０に取り付ける。次に、第１の複層ガラス１９０ａを着脱する手法と同様にして、ルーバー３００ｃを右縦枠１３０及び左縦枠１５０に取り着ける。これにより、カーテンウォールユニット１００に第３の複層ガラス１９０ｃが取り着けられる。
【００５１】
本実施形態によれば、外装材を容易に脱着可能なカーテンウォールユニットを得る。
なお、外装材は、ルーバー３００に限定されず、カーテンウォールユニット１００の外側に取り付け可能な部材であればよい。裏板１４３でなく、ナットが用いられてもよい。また、ルーバー羽根３１０の両端とブラケット３５０の一側面３５５との間には、ＥＰＤＭ複層シーラーが設けられなくてもよい。
【００５２】
なお、本明細書および図中に示した各部材の大きさ及び形状は例示であって、これらの大きさ及び形状に限定されない。また、各部材の素材は例示であって、これらの素材に限定されない。
【００５３】
ここに付随する図面を参照して本発明の実施形態が説明されたが、記載された発明の範囲と精神から逸脱することなく、変形が各部の構造と関係に施されることは、当業者にとって自明である。
【図１】
2018204175.tif 000003
【図２】
2018204175.tif 000004
【図３】
2018204175.tif 000005
【図４】
2018204175.tif 000006
【図５】
2018204175.tif 000007
【図６】
2018204175.tif 000008
【図７】
2018204175.tif 000009
【図８】
2018204175.tif 000010